(57)【要約】【課題】キャップや封止リングの取外しが容易な封止性が高い点滴ボトルを提供する。【解決手段】  点滴器本体１２は、第１液滴供給端部１２２及び開口底部１２３を有し、この開口底部１２３は、容器本体１１の口部１１１の内側面１１４に掛合しうる第１突出部１２７と、口部１１１の外側面１１３に掛合しうる第２突出部１２６と、容器本体１１の口部１１１の上面１１２に掛合しうる座面１２５とを有している。本発明により、この点滴器本体の第２突出部１２６に、容器本体１１の口部１１１の外側面１１３にある連続した底部エッジ１１３′と掛合しうる隆起部１２６′を設けて封止を完全なものとするとともに、さらに、座面１２５にキャビティ１２８又は隆起部を形成し、これを容器本体１１の口部１１１の上面１１２に形成する対応する隆起部１１５又はキャビティと協働させることにより点滴器本体１２が容器本体１１に対して回転しないようにする。【選択図】図２
2005219814.tif 000002
【特許請求の範囲】
【請求項１】
容器本体（１１）に結合し、キャップ（１３）により封止することができる点滴ボトル（１０）用の点滴器本体（１２）であって、この点滴器本体（１２）は、第１液滴供給端部（１２２）及び開口底部（１２３）を有し、この点滴器本体の開口底部（１２３）が、
前記容器本体（１１）の口部（１１１）の内側面（１１４）に掛合しうる第１突出部（１２７）と、
前記容器本体（１１）の口部（１１１）の外側面（１１３）に掛合しうる第２突出部（１２６）と、
前記容器本体（１１）の口部（１１１）の上面（１１２）に掛合しうる座面（１２５）と
を有している点滴器本体（１２）において、
前記容器本体（１１）の前記口部（１１１）がペニシリン型口部（１１１）であり、
前記第２突出部（１２６）が、前記容器本体（１１）の前記口部（１１１）の前記外側面（１１３）にある連続した底部エッジ（１１３′）に掛合しうるほぼ連続した隆起部（１２６′）を有しており、
前記点滴器本体（１２）が、さらに、
前記容器本体（１１）の前記口部（１１１）の前記上面（１１２）上に形成した対応する少なくとも１個の隆起部（１１５）と協働する、前記座面（１２５）に形成した少なくとも１個のキャビティ（１２８）か、又は
前記容器本体（１１）の前記口部（１１１）の前記上面（１１２）上に形成した対応する少なくとも１個のキャビティと協働する、前記座面（１２５）から突出した少なくとも１個の隆起部か
を有することを特徴とする点滴器本体（１２）。
【請求項２】
前記第１突出部（１２７）が、前記座面（１２５）から少なくとも約１．５ｍｍ突出した請求項１に記載の点滴器本体（１２）。
【請求項３】
前記第１突出部（１２７）が、前記座面（１２５）から少なくとも約２．５ｍｍ突出した請求項１に記載の点滴器本体（１２）。
【請求項４】
前記点滴器本体（１２）は、薬局方により許可されているポリエチレンにより形成した請求項１乃至３のいずれか一項に記載の点滴器本体（１２）。
【請求項５】
請求項１乃至４のいずれか一項に記載の点滴器本体（１２）と、キャップ（１３）と、容器本体（１１）とを有する点滴ボトル（１０）において、
前記容器本体（１１）が、ペニシリン型口部（１１１）を有し、このペニシリン型口部が、外側面（１１３）と、内側面（１１４）と、少なくとも１個の隆起部（１１５）又はキャビティを形成した上面（１１２）とを有し、
前記キャップ（１３）が、さらに、前記キャップ（１３）と前記点滴器本体（１２）とが相対回転することを防止する装置（１３５，１２９）に関連するロック用リング（１３２）を具える
ことを特徴とする点滴ボトル（１０）。
【請求項６】
前記キャップ（１３）と前記点滴器本体（１２）とが相対回転することを防止する前記装置（１３５，１２９）が、少なくとも一個の隆起部（１３５）と、対応する少なくとも１個のキャビティ（１２９）とを有する請求項５に記載の点滴ボトル（１０）。
【請求項７】
前記少なくとも一個の隆起部（１３５）を底部リング（１３３）の内面に形成し、前記対応する少なくとも１個のキャビティ（１２９）を外側の第２突出部（１２６）に形成した請求項６に記載の点滴ボトル（１０）。
【請求項８】
前記点滴器本体（１２）がねじ部（１２４）を有し、前記キャップ（１３）がこれに対応するねじ部（１３７）を有し、これらを互いにねじ連結するようになっている請求項５乃至７のいずれか一項に記載の点滴ボトル（１０）。
【請求項９】
請求項５乃至８のいずれか一項に記載の点滴ボトルを、口、鼻、眼若しくは耳用の薬剤、芳香剤又は類似の用途に使用する方法。
【発明の詳細な説明】
【技術分野】
【０００１】
本発明は、点滴ボトル、特にこのような点滴ボトルのための点滴器本体に関するものである。
【背景技術】
【０００２】
既に知られているように、多くの種類の液体が、点滴ボトルを用いて投与又は投薬される。薬学及びそれに類似する分野においては、特に、口用又は局所用、例えば鼻、眼若しくは耳用の医薬を正確に投与するために、液滴の形態で医薬の投与を行うことが極めて広く行われている。芳香剤などの製品についても、液滴の形態で適量に分配することが極めて一般的に行われていることである。
【０００３】
既知の点滴ボトルは、流体容器本体と、ステムと、カラーと、キャップとを有する。容器本体は、一般に閉鎖した底部と、開口した頂部とを有するほぼ円筒状の形状にする。容器本体は、通常、ガラス、ポリエチレンテレフタレートなどから形成する。
【０００４】
点滴器本体又はステムは、液滴出口のオリフィスで終端する細長い形状の頂部と、容器本体の口部の頂部に休止する底部とを有する。ステムは、カラーにより所定位置に保持し、カラーは、容器本体の口部の外側底部エッジと掛合し外側にねじ止め部を有する。
【０００５】
点滴ボトルを使用しない場合、特に販売前に点滴ボトルを封止しておく場合には、ステム／カラー組立体上に封止キャップを装着する。キャップの頂部内側に細長い突出部を設け、これがステムのオリフィス内に突出してこれを閉鎖するようにする。一般的には、ステムのカラーとキャップとの間にねじ部を設ける。言い換えれば、キャップを取り外せるようにキャップはカラーからねじ取れるようにする必要がある。最後に、容器ボトル内に含まれている製品に手が加えられることを防止するため、キャップの底部にロック用リング（「保証シール（seal of gurantee）」）を設けるが、このロック用リングは、使用者が点滴ボトルを最初に開封するときに破り取れるようにする必要がある。
【０００６】
上述した種類の点滴ボトルは、極めて簡単に製造し組立てることができる考えられている。しかし、発明者は、このような点滴ボトルには多数の問題があり既知の点滴ボトルを改善する必要があることに気づいた。
【０００７】
第一に、本発明者は、ステム及び容器本体間の封止性、容器本体及びカラー間の封止性、並びにカラー及びステム間の封止性に関して好ましくないまた容認できない問題があることを発見した。これらの問題の主たる原因は、容器本体の口部とステムの底部との間の密着性が不完全であることと考えられる。
【０００８】
第二に、本発明者は、多くの場合に、ステムのカラーが容器本体に対して充分緊密にロックされず回転してしまうために、ステムのカラーからキャップをねじ取るのが困難であることに気づいた。
【０００９】
第三に、本発明者は、多くの場合に、キャップがカラーに対して回転してしまう、つまり容器本体に対して充分にロックされていないため、キャップに固着されている封止リングを破り取るのが困難であることを発見した。
【発明の開示】
【発明が解決しようとする課題】
【００１０】
本発明の目的は、上述した問題を解決する点滴ボトルであって、実質的に漏出がなく、特に最初に使用する際に容易に開封しうる点滴ボトルを提供するにある。
【００１１】
この目的は、他の課題と共に、特許請求の範囲の請求項１に記載した改良した点滴ボトル用の点滴器本体により達成される。本発明の他の有利な特徴は、従属項に記載されている。全ての請求項は、本発明の説明と一体の部分をなすものと理解されたい。
【課題を解決するための手段】
【００１２】
この目的を解決するため本発明は、容器本体に結合し、キャップにより封止することができる点滴ボトル用の点滴器本体であって、この点滴器本体は、第１液滴供給端部及び開口底部を有し、この点滴器本体の開口底部が、容器本体の口部の内側面に掛合しうる第１突出部と、容器本体の口部の外側面に掛合しうる第２突出部と、容器本体の口部の上面に掛合しうる座面とを有している点滴器本体において、容器本体の口部が実質的にペニシリン型口部であり、第２突出部が、容器本体の口部の外側面にある連続した底部エッジに掛合しうる実質的に連続した隆起部を有しており、点滴器本体が、さらに、容器本体の口部の上面に形成した対応する少なくとも１個の隆起部と協働する、座面に形成した少なくとも１個のキャビティか、又は容器本体の口部の上面に形成した対応する少なくとも１個のキャビティと協働する、座面から突出した少なくとも１個の隆起部かを有することを特徴とする。
【発明を実施するための最良の形態】
【００１３】
第１突出部を、座面から少なくとも約１．５ｍｍ突出させるのが好ましい。第１突出部を、座面から少なくとも約２．５ｍｍ突出させるのがより好ましい。
【００１４】
本発明による点滴器本体は、薬局方により許可されているポリエチレンにより形成するのが好ましい。
【００１５】
本発明の他の観点によれば、前述した点滴器本体と、キャップと、容器本体とを有する点滴ボトルであって、容器本体がペニシリン型口部を有し、このペニシリン型口部が、外側面と、内側面と、少なくとも１個の隆起部又はキャビティを形成した上面とを有し、キャップが、さらに、ロック用リングを有し、キャップと点滴器本体とが相対回転することを防止する装置を具える点滴ボトルを得る。
【００１６】
キャップと点滴器本体とが相対回転することを防止する装置が、少なくとも一個の隆起部と、対応する少なくとも１個のキャビティとを有するのが好ましい。
【００１７】
前記少なくとも一個の隆起部を底部リングの内面に形成し、前記対応する少なくとも１個のキャビティを外側の第２突出部に形成するのが好ましい。
【００１８】
好適例によれば、点滴器本体がねじ部を有し、キャップがこれに対応するねじ部を有し、これらを互いにねじ連結するようにする。
【００１９】
代表的には、点滴ボトルは、口、鼻、眼若しくは耳用の医薬を含む用途に利用する。また、芳香剤などにも使用することができる。
【実施例】
【００２０】
本発明を、以下に記載する種々の図面を参照した実施例により詳細に説明して明らかなものとする。実施例は本発明を限定するものではない。
【００２１】
上述したように、既知の点滴ボトル１（図１参照）は、流体を入れる容器本体２と、ステム３と、カラー４と、キャップ５とを有する。容器本体２は、一般にほぼ円筒形の形状であり、閉じた底部と、頂部における開口した口部２１とを有する。
【００２２】
ステム３は、細長い形状の頂部３１を有し、この頂部３１は、液滴の出口であるオリフィス３２と底部３３とで終端しており、この底部３３は、容器本体２の口部２１の頂部に休止する。ステム３をカラー４により所定の位置に保持し、カラー４は、容器本体２の口部２１の外側底部エッジと掛合させ、且つ雄ねじ部を形成する。
【００２３】
点滴ボトルを使用しないとき、特に販売前の封止した状態にでは、ステム／カラー組立体上に封止キャップ５を装着する。封止キャップ５の頂部内側には、細長い突出部５１を設け、この突出部をステム３のオリフィス３２内に貫入してこれを封止する。通常は、ステム３のカラー４と、キャップ５との間にねじ部を設ける。つまり、キャップ５を取り外せるようにカラー４からキャップ５をねじ取れるようにする必要がある。最後に、容器ボトル内に含まれている製品に手が加えられることを防止するため、キャップ５の底部にロック用リング５２（「保証シール（seal of gurantee）」）を設けるが、このロック用リング５２は使用者が点滴ボトル１を最初に開封する際に破り取れるようにする必要がある。
【００２４】
本発明によれば、図２乃至７を参照して説明するように、ステム及びカラーを単一ピースとして形成し、以下の説明ではこれを「点滴器本体」と称する。従って、本発明による点滴ボトル１０は、容器本体１１と、点滴器本体１２と、キャップ１３とを有する。この点滴器本体１２は、細長い部分１２１を有し、この細長い部分１２１は、一方の端部にオリフィス１２２を、その反対側の他方の端部に底部１２３を設ける。
【００２５】
図４，５及び６に明確に示すように、点滴器本体１２の底部１２３に雄ねじ部１２４を設け、この底部１２３にはキャップ１３のねじ部１３７がねじ付けられるようにする。この底部１２３は、座面１２５と、内側の第１突出部１２７と、外側の第２突出部１２６とを有する。この座面１２５は、容器本体１１の口部１１１の上面１１２に休止させることができる。外側の第２突出部１２６は、容器本体１１の口部１１１の外側面１１３に掛合させることができる。詳細には、外側の第２突出部１２６の座面１２５から離れた位置に、丸い連続した隆起部１２６′を設ける。このような隆起部１２６′は、容器本体１１の口部１１１の外側面１１３にある底部エッジ１１３′に掛合するよう設計する。これら隆起部１２６′及び底部エッジ１１３′が協働するため、点滴器本体１２及び容器本体１１が共に組立てられているときに、ユーザは点滴器本体１２を解離するおそれがない。
【００２６】
内側の第１突出部１２７は、容器本体１１の口部１１１の内側面１１４に掛合することができる。換言すると、座面１２５と、外側の第２突出部１２６と、内側の第１突出部１２７とが、容器本体１１の口部１１１上に嵌合しうる環状キャビティを規定する。本発明による点滴ボトル１０の容器本体１１における口部１１１の種類は、一般に知られている「ペニシリン型」にするのが有利である。
【００２７】
第１突出部１２７及び第２突出部１２６は、ほぼ円形の突出部にするのが好ましい。これら内側の第１突出部１２７及び外側の第２突出部１２６は、ほぼ円形で連続した突出部にするのがさらに好ましい。
【００２８】
第１（内側）突出部１２７は、座面１２５から少なくとも約１．５ｍｍ突出させるのが好ましい。第１（内側）突出部１２７は、少なくとも約２．５ｍｍ突出させるのがさらに好ましい。
【００２９】
点滴器本体は、薬局方により許可されているポリエチレンであって、利用に適した弾性及び硬度特性を有するものから形成するのが好ましい。
【００３０】
本発明によれば、内側の第１突出部１２７と、外側の第２突出部１２６と、座面１２５とにより形成した環状キャビティは、使用した材料の弾性と相俟って、流体の損失又は漏出に対する効果的な封止部になる（図３）。本発明によれば、容器本体の口部が精密に製造されていない場合であっても、封止が確実になされるため有利である。
【００３１】
本発明の第１の好適例によれば、点滴器本体１２の座面１２５に少なくとも１個のキャビティ１２８を設け、このキャビティ１２８を、容器本体１１の口部１１１の上面１１２にある対応する隆起部１１５と協働させる。複数のキャビティ１２８及び複数の対応する隆起部１１５を設けてある種のかみ合わせ部を形成するのが好ましい。
【００３２】
本発明の第２の実施例（図示せず）によれば、点滴器本体１２の座面１２５に少なくとも１個の隆起部を設け、この隆起部を、容器本体１１の口部１１１の上面１１２にある対応する少なくとも１個のキャビティと協働させる。複数のキャビティ及び複数の対応する隆起部を設けてある種のかみ合わせ部を形成し、点滴器本体１２と容器本体１１とが相対回転するのを防止しうるようにするのが好ましい。
【００３３】
本発明の第３の実施例（図示せず）によれば、容器本体１１の口部１１１の外側面１１３に少なくとも１個の隆起部を設け、この隆起部を外側の第２突出部１２６上の対応する少なくとも１個のキャビティと協働させる。複数のキャビティ及び複数の対応する隆起部を設けてある種のかみ合わせ部を形成し、点滴器本体１２と容器本体１１とが相対回転するのを防止するのが好ましい。
【００３４】
本発明の第４の実施例（図示せず）によれば、容器本体１１の口部１１１の外側面１１３に少なくとも１個のキャビティを設け、このキャビティを外側の第２突出部１２６上の対応する少なくとも１個の隆起部と協働させる。複数のキャビティ及び複数の対応する隆起部を設けてある種のかみ合わせ部を形成し、点滴器本体１２と容器本体１１とが相対回転するのを防止するのが好ましい。
【００３５】
キャビティ及び隆起部からなるこれらの手段によれば、点滴器本体１２は容器本体１１に対して相対回転できず、かつキャップ１３は容易にねじ付けたり又はねじ戻したりすることができるようになる。
【００３６】
キャップ１３の開口端部１３１近傍にロック用リング（「保証シール（seal of gurantee）」）１３２を設けるが、このロック用リング１３２は、点滴ボトル１０を最初に開封する際に破り取れるようにしておく必要がある。このロック用リング１３２は、底部リング１３３及びキャップの残りの部分に、脆弱化したラインを形成する若干数のポイント１３４で連結する。
【００３７】
本発明の他の観点によれば、点滴器本体１２とキャップ１３とが相対回転するのを防止するかみ合わせ部を底部リング１３３の領域に設ける。本発明によれば、点滴器本体１２の外側の第２突出部１２６の底部にキャビティ１２９を形成し、キャップ１３の底部リング１３３の内側に対応する隆起部１３５を形成する。これらによるかみ合わせ部が点滴器本体１２とキャップ１３との相対回転を防止するため、ロック用リング１３２を破り取る際にキャップ１３の頂部１３６が回転できず、ロック用リング１３２の取外しに有利である。
【００３８】
本発明は、特許請求の範囲により定められる保護範囲から逸脱することなく、多数の変更、付加及び変形を加えうるものであり、またその一部を同等の機能を有する他の部品に置き換えうるものである。
【図面の簡単な説明】
【００３９】
【図１】図１は、従来技術による点滴ボトルの一部の長手方向での断面図である。
【図２】図２は、本発明による点滴器本体及び点滴ボトル用キャップの一部の長手方向での断面図である。
【図３】図３は、本発明による点滴ボトルの一部の長手方向での断面図である。
【図４】図４は、本発明によるキャップの端部の一部を拡大して示す長手方向での断面図である。
【図５】図５は、本発明による点滴器本体に連結することができる容器本体の口部の一部を拡大して示す長手方向での断面図である。
【図６】図６は、本発明による点滴器本体の端部の一部を拡大して示す長手方向での断面図である。
【図７】図７は、本発明による点滴器本体に用いる容器本体の一部を示す長手方向での断面図である。
【符号の説明】
【００４０】
１０  点滴ボトル
１１  容器本体
１２  点滴器本体
１３  キャップ
１１１  口部
１２１  細長い部分
１２２  オリフィス
１２３  底部
１２４  雄ねじ部
１２６  第２突出部
１２７  第１突出部
１２８  キャビティ
１３２  ロック用リング
１３６  頂部
１３３  底部リング
【図１】
2005219814.tif 000003
【図２】
2005219814.tif 000004
【図３】
2005219814.tif 000005
【図４】
2005219814.tif 000006
【図５】
2005219814.tif 000007
【図６】
2005219814.tif 000008
【図７】
2005219814.tif 000009